(57)【要約】      （修正有）【課題】コンテンツ配信システムにおいて、サーバから端末にダウンロードする際、同一コンテンツの不要な重複ダウンロードの防止ができることを目的とする。【解決手段】サーバ３００からコンテンツのダウンロードを受ける端末１００を備えたコンテンツ配信システムにおいて、ダウンロードの際、サーバ３００のダウンロード済み符号記憶部３２０にダウンロード要求のあったコンテンツ符号が登録されているか否か照合し、コンテンツ符号が登録されている場合は、再ダウンロード要否メッセージを端末１００に送信し、端末１００からの再ダウンロード要の要求がある場合のみ当該コンテンツをダウンロードすることを特徴とするコンテンツ配信システム。【選択図】図１
2006085294.tif 000002
【特許請求の範囲】
【請求項１】
コンテンツと当該コンテンツを特定するコンテンツ符号とを対応付けて登録するコンテンツ記憶部を有するサーバと、当該サーバと通信回線を介して接続され、当該サーバに対し要求することによりコンテンツのダウンロードを受ける端末とを備えたコンテンツ配信システムにおいて、前記端末は、画面を表示するディスプレイ及び入力部を有し、前記サーバは、既にダウンロード済みのコンテンツ符号と前記コンテンツ要求端末の接続先符号とを対応付けて登録するダウンロード済み符号記憶部を有し、前記端末からのコンテンツのダウンロード要求の都度、ダウンロード要求の接続先符号と前記ダウンロード済み符号記憶部に登録されている接続先符号とを照合し、該当する接続先符号の登録が無い場合は、
前記端末に新規登録要否のメッセージを送信し、前記端末からの新規登録の要求により、前記ダウンロード済み符号記憶部に接続先符号を登録し、かつ、コンテンツ符号に対応するコンテンツを前記端末にダウンロードし、前記ダウンロード済み符号記憶部にコンテンツ符号を登録し、前記端末からのコンテンツのダウンロード要求の都度、ダウンロード要求のコンテンツ符号及び接続先符号と前記ダウンロード済み符号記憶部に登録されているコンテンツ符号及び接続先符号とを照合し、該当する接続先符号の登録がある場合は、
前記ダウンロード済み符号記憶部にダウンロード要求のあったコンテンツ符号が登録されているか否か照合し、コンテンツ符号が登録されている場合は、再ダウンロード要否メッセージを前記端末に送信し、前記端末からの再ダウンロード要の要求がある場合のみ当該コンテンツを前記端末にダウンロードすることを特徴とするコンテンツ配信システム。
【請求項２】
コンテンツと当該コンテンツを特定するコンテンツ符号とを対応付けて登録するコンテンツ記憶部を有するサーバと、当該サーバと通信回線を介して接続され、当該サーバに対し要求することによりコンテンツのダウンロードを受ける端末とを備えたコンテンツ配信システムにおいて、前記端末は、画面を表示するディスプレイ及び入力部を有し、
前記サーバは、既にダウンロード済みのコンテンツ符号と前記コンテンツ要求端末の接続先符号とを対応付けて登録するダウンロード済み符号記憶部を有し、前記端末からのコンテンツのダウンロード要求の都度、ダウンロード要求の接続先符号と前記ダウンロード済み符号記憶部に登録されている接続先符号とを照合し、該当する接続先符号の登録が無い場合は、前記端末に新規登録要否のメッセージを送信し、前記ディスプレイに当該メッセージの画面を表示し当該メッセージ画面に基づく前記端末からの新規登録の要求により、前記ダウンロード済み符号記憶部に接続先符号を登録し、かつ、コンテンツ符号に対応するコンテンツを前記端末にダウンロードし、前記ダウンロード済み符号記憶部にコンテンツ符号を登録し、前記端末からのコンテンツのダウンロード要求の都度、ダウンロード要求のコンテンツ符号及び接続先符号と前記ダウンロード済み符号記憶部に登録されているコンテンツ符号及び接続先符号とを照合し、該当する接続先符号の登録がある場合は、
前記ダウンロード済み符号記憶部にダウンロード要求のあったコンテンツ符号が登録されているか否か照合し、コンテンツ符号が登録されている場合は、再ダウンロード要否メッセージを前記端末に送信し、前記ディスプレイに当該メッセージの画面を表示し当該メッセージ画面に基づく前記端末からの再ダウンロード要の要求がある場合のみ当該コンテンツを前記端末にダウンロードすることを特徴とするコンテンツ配信システム。
【請求項３】
請求項1又は２記載のコンテンツ配信システムにおいて、前記端末は、携帯電話であることを特徴とするコンテンツ配信システム。
【発明の詳細な説明】
【技術分野】
【０００１】
本発明は、コンテンツを記憶・蓄積しているサーバと、このサーバと通信回線を介して接続され、このサーバに要求することにより、そのコンテンツの配信（ダウンロード）を受ける端末とを備えたコンテンツ配信システムに関する。
【背景技術】
【０００２】
コンテンツを記憶・蓄積しているサーバと、このサーバと通信回線を介して接続され、このサーバに要求することにより、そのコンテンツの配信を受ける端末とを備えたコンテンツ配信システムに関しては、特開２００２−２０７４９１号公報、特開２００４−１３５２２９号公報に開示されている。
これらのコンテンツ配信システムでは、端末から以前にそのコンテンツをダウンロードしたか否かの確認ができなかった。
【０００３】
【特許文献１】特開２００２−２０７４９１号公報
【特許文献２】特開２００４−１３５２２９号公報
【発明の開示】
【発明が解決しようとする課題】
【０００４】
従来のコンテンツ配信システムでは、端末によりコンテンツをダウンロード要求するに際し、以前にそのコンテンツをダウンロードしたか否かの確認ができなかった。そこで、同じコンテンツについて、重複ダウンロードをしてしまうという課題があった。
【０００５】
この課題を解決するため、本発明は、サーバから端末にコンテンツをダウンロードする際、過去にそのコンテンツをダウンロードしたことがある場合は、端末に再ダウンロード要否のメッセージを送信することにより、過去にダウンロードしたか否かの確認ができ、同一コンテンツの不要な重複ダウンロードの防止ができ、端末利用者の余分な操作を防ぐことができるコンテンツ配信システムと提供することを目的とする。
【課題を解決するための手段】
【０００６】
上記の課題を解決するため、本願の請求項１記載の発明は、コンテンツと当該コンテンツを特定するコンテンツ符号とを対応付けて登録するコンテンツ記憶部を有するサーバと、当該サーバと通信回線を介して接続され、当該サーバに対し要求することによりコンテンツのダウンロードを受ける端末とを備えたコンテンツ配信システムにおいて、前記端末は、画面を表示するディスプレイ及び入力部を有し、前記サーバは、既にダウンロード済みのコンテンツ符号と前記コンテンツ要求端末の接続先符号とを対応付けて登録するダウンロード済み符号記憶部を有し、前記端末からのコンテンツのダウンロード要求の都度、ダウンロード要求のコンテンツ符号及び接続先符号と前記ダウンロード済み符号記憶部に登録されているコンテンツ符号及び接続先符号とを照合し、該当する接続先符号の登録が無い場合は、前記端末に新規登録要否のメッセージを送信し、前記端末からの新規登録の要求により、前記ダウンロード済み符号記憶部に接続先符号を登録し、かつ、コンテンツ符号に対応するコンテンツを前記端末にダウンロードし、前記ダウンロード済み符号記憶部にコンテンツ符号を登録し、前記端末からのコンテンツのダウンロード要求の都度、ダウンロード要求のコンテンツ符号及び接続先符号と前記ダウンロード済み符号記憶部に登録されているコンテンツ符号及び接続先符号とを照合し、該当する接続先符号の登録がある場合は、前記ダウンロード済み符号記憶部にダウンロード要求のあったコンテンツ符号が登録されているか否か照合し、コンテンツ符号が登録されている場合は、再ダウンロード要否メッセージを前記端末に送信し、前記端末からの再ダウンロード要の要求がある場合のみ当該コンテンツを前記端末にダウンロードすることを特徴とする。
【０００７】
また、本願の請求項２記載の発明は、コンテンツと当該コンテンツを特定するコンテンツ符号とを対応付けて登録するコンテンツ記憶部を有するサーバと、当該サーバと通信回線を介して接続され、当該サーバに対し要求することによりコンテンツのダウンロードを受ける端末とを備えたコンテンツ配信システムにおいて、前記端末は、画面を表示するディスプレイ及び入力部を有し、前記サーバは、既にダウンロード済みのコンテンツ符号と前記コンテンツ要求端末の接続先符号とを対応付けて登録するダウンロード済み符号記憶部を有し、前記端末からのコンテンツのダウンロード要求の都度、ダウンロード要求のコンテンツ符号及び接続先符号と前記ダウンロード済み符号記憶部に登録されているコンテンツ符号及び接続先符号とを照合し、該当する接続先符号の登録が無い場合は、前記端末に新規登録要否のメッセージを送信し、前記ディスプレイに当該メッセージの画面を表示し当該メッセージ画面に基づく前記端末からの新規登録の要求により、前記ダウンロード済み符号記憶部に接続先符号を登録し、かつ、コンテンツ符号に対応するコンテンツを前記端末にダウンロードし、前記ダウンロード済み符号記憶部にコンテンツ符号を登録し、前記端末からのコンテンツのダウンロード要求の都度、ダウンロード要求のコンテンツ符号及び接続先符号と前記ダウンロード済み符号記憶部に登録されているコンテンツ符号及び接続先符号とを照合し、該当する接続先符号の登録がある場合は、前記ダウンロード済み符号記憶部にダウンロード要求のあったコンテンツ符号が登録されているか否か照合し、
コンテンツ符号が登録されている場合は、再ダウンロード要否メッセージを前記端末に送信し、前記ディスプレイに当該メッセージの画面を表示し当該メッセージ画面に基づく
前記端末からの再ダウンロード要の要求がある場合のみ当該コンテンツを前記端末にダウンロードすることを特徴とする。
【０００８】
また、本願の請求項３記載の発明は、請求項1又は２記載のコンテンツ配信システムにおいて、前記端末は、携帯電話であることを特徴とする。
【発明の効果】
【０００９】
本発明によれば、サーバから端末にコンテンツをダウンロードする際、以前にそのコンテンツをダウンロードしたことがある場合は端末に再ダウンロード要否のメッセージを送信することにより、過去にダウンロードしたか否かの確認ができ、同一コンテンツの不要な重複ダウンロードの防止ができ、端末利用者の余分な操作、出費を防ぐことができる。
【００１０】
また、本発明によれば、サーバから端末にコンテンツをダウンロードする際、端末のディスプレイに再ダウンロード要否の画面が表示されるので、過去にダウンロードしたか否かの確認が視覚を通じてきわめて容易にでき、同一コンテンツの不要な重複ダウンロードの防止ができ、端末利用者の余分な操作、出費を防ぐことができる。
そして、このディスプレイに表示された画面に基づき再ダウンロードの要否入力ができることにより、操作性の良いコンテンツ配信システムを提供することができる。
【発明を実施するための最良の形態】
【００１１】
次に、本発明を実施するための形態につき、図面に基づいて説明する。
本発明のコンテンツ配信システムにおけるコンテンツとしては、音楽（楽曲）、写真、映画、書籍、アニメ、プログラム等様々なコンテンツが該当するが、ここでは、音楽を一例として、説明する。
【００１２】
図１は、本発明の一実施例であるコンテンツ配信システムの全体構成図である。
図１のコンテンツ配信システムは、音楽（楽曲）データ等のコンテンツを記憶、蓄積したサーバ３００と、このサーバ３００とインターネット５００を含む有線や無線の通信回線を介して接続、通信でき、サーバ３００からコンテンツのダウンロード（配信、転送）を受ける端末としての携帯電話１００を備えている。
【００１３】
モバイル通信基地局２００は、携帯電話１００と有線の通信回線と接続する。４００は携帯電話１００とモバイル通信基地局２００との間で送受信される電波を示す。
サーバ３００は、コンテンツ（楽曲）と、そのコンテンツを特定し、そのコンテンツに対応付けるコンテンツ符号（番号等を含む）とを登録するコンテンツ記憶部３３０を備えている。
【００１４】
また、サーバ３００は、携帯電話１００に、過去にダウンロードしたコンテンツ番号とそのコンテンツ要求の携帯電話１００の接続先を特定する接続先符号（番号を含む）とを対応付けたデータを登録するダウンロード済み符号記憶部３２０を備えている。また、サーバ３００は、コンテンツとそのコンテンツを特定するコンテンツ番号とを対応付けたデータを登録するコンテンツ記憶部３３０とを備えている。
【００１５】
更に、サーバ３００は、接続符号とコンテンツ番号の照合及びコンテンツを配信するプログラムを格納しているコンテンツ配信部３１０を備えている。
【００１６】
図２は、本発明の一部を構成する端末の一実施例を示す携帯電話のブロック図である。
携帯電話１００は、この携帯電話をプロッセサーにより制御する制御部１０１、データを格納しておく記憶部１０２、データを画面として表示するディスプレイ１０３、データ入力をするキー入力部１０４、外部とデータのやり取りを行う入出力部１０５、データの送受信を行うアンテナ１０６、及び携帯電話を変更した場合の携帯電話機種情報を保有しているメモリーを備えている。
【００１７】
図３は、サーバのダウンロード済み符号記憶部（３２０）に格納されているテーブルの一例で、過去にダウンロードされたコンテンツに対応するコンテンツ番号とコンテンツ要求者の携帯電話の接続符号とを対応付けたをダウンロード済みコンテンツテーブルの一例である。
【００１８】
図４は、サーバのコンテンツ記憶部（３３０）に格納されているコンテンツテーブルの一例である。
図において、コンテンツの楽曲とその楽曲を特定するコンテンツ番号とコンテンツ題名（曲名）とを対応付けたコンテンツテーブルである。
【００１９】
図５は、携帯電話のディスプレイに表示される新規登録の要否を選択する画面の一例である（９００５）。
【００２０】
図６は、携帯電話のディスプレイに表示される再ダウンロードの要否を選択選択する画面の一例である（９００９）。
【００２１】
図７は、携帯電話のディスプレイに表示される要求コンテンツのダウンロード終了画面の一例である（９０１２）。
【００２２】
図８は、本発明の一実施例であるコンテンツ配信システムにおける処理を示すフローチャートである。
図８において、サーバ３００と携帯電話１００とが接続され、コンテンツがサーバ３００から携帯電話１００にダウンロードされる処理の流れについて説明する。
【００２３】
先ず携帯電話１００にてダウンロードしたいコンテンツが存在するサーバ３００にモバイル接続する(9001)。そして、ダウンロードを要求するコンテンツを選択し、その要求を携帯電話１００からサーバ３００に送信する(9002)。
サーバ側ではダウンロード要求のある携帯電話がダウンロード対象として登録されているか否かをサーバ３００のダウンロード済み符号記憶部３２０にその携帯電話の接続先符号が登録されているか否かにより判断する(9003)。
【００２４】
接続先符号の登録がない場合は、新規登録要否のメッセージを送信し(9004)、携帯電話１００のディスプレイ１０３に図５に示す画面を表示し、表示された画面に基づき新規登録の要否を判断し、その要否を携帯電話１００からサーバ３００に送信する(9005)。
【００２５】
携帯電話の接続先符号の登録がある場合は、ダウンロード要求のあったコンテンツ番号がダウンロード済みコンテンツ符号記憶部３２０に登録されているか否かを判断する(9007)。
当該コンテンツ番号が登録されている場合は、再ダウンロードとなる旨のメッセージを携帯電話１００に送信し(9008)、携帯電話１００のディスプレイ１０３に図６に示す画面を表示し、この表示された画面に基づき再ダウンロードするか否か判断する(9009)。
【００２６】
携帯電話の接続先符号の登録がない場合即ち、初回ダウンロードの場合と再ダウンロードする場合(9009)場合は、ダウンロード要求のコンテンツ番号を検索キーとして要求されたコンテンツをコンテンツ記憶部３３０からコンテンツ配信部３１０へコンテンツを取り込む(9010)、そして、コンテンツ配信部３１０からそのコンテンツを送出し、携帯電話にダウンロード（送信）する(9011)。
携帯電話はコンテンツを格納し、ディスプレイ１０３の図７に示す終了画面を表示する(9012)。
【００２７】
このコンテンツのダウンロードを終了すると、そのコンテンツ符号をダウンロード済み符号記憶部３２０に登録する(9013)。この登録により、同一コンテンツの重複ダウンロードを防止できる。そして、この一連の処理を終了（ＥＮＤ）する。
【図面の簡単な説明】
【００２８】
【図１】本発明の一実施例であるコンテンツ配信システムの全体構成図である。
【図２】本発明の一実施例の一部を構成する携帯電話のブロック図である。
【図３】サーバに格納されているダウンロード済み番号記憶部
【図４】サーバのコンテンツ記憶部に格納されているコンテンツテーブルの一例である。
【図５】携帯電話のディスプレイに表示される新規登録要否選択画面の一例である。
【図６】携帯電話のディスプレイに表示される再ダウンロード要否選択画面の一例である。
【図７】携帯電話のディスプレイに表示されるダウンロード終了画面の一例である。
【図８】本発明の一実施例であるコンテンツ配信システムにおける処理を示すフローチャートである。
【符号の説明】
【００２９】
１００・・・携帯電話
１０１・・・制御部
１０２・・・記憶部
１０３・・・ディスプレイ
１０４・・・キー入力部
１０５・・・入出力部
１０６・・・アンテナ
２００・・・モバイル通信基地局、
３００・・・サーバ
３１０・・・コンテンツ配信部
３２０・・・ダウンロード済み符号記憶部、
３３０・・・コンテンツ記憶部
４００・・・電波
５００・・・インターネット
【図１】
2006085294.tif 000003
【図２】
2006085294.tif 000004
【図３】
2006085294.tif 000005
【図４】
2006085294.tif 000006
【図５】
2006085294.tif 000007
【図６】
2006085294.tif 000008
【図７】
2006085294.tif 000009
【図８】
2006085294.tif 000010